Podtech/llm-jp-corpus-v4-ja_patent huggingface dataset:
【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
コンピュータに、
仮想三次元空間の画像を生成する画像生成部と、
前記仮想三次元空間に配置された、複数の粒子オブジェクトを含む第１オブジェクトを制御する第１オブジェクト制御部と、
前記仮想三次元空間に配置された、プレイヤーが操作可能な第２オブジェクトを制御する第２オブジェクト制御部と、
前記第２オブジェクトと前記第１オブジェクトとが接触したか否かを判定する判定部と、
前記判定部により前記第２オブジェクトと前記第１オブジェクトとが接触したと判定された場合、前記第２オブジェクトと接触した前記第１オブジェクトに含まれる複数の粒子オブジェクトが前記第２オブジェクトに吸収される様子を表すアクションを実行させる吸収制御部と、
を実現させるための表示制御プログラム。
【請求項２】
前記第２オブジェクトは、少なくとも前記プレイヤーの体の一部を表現したオブジェクトであり、
前記画像生成部は、前記第２オブジェクトの目の位置の近傍に、前記仮想三次元空間の画像を生成するための視点位置を設定し、
前記第２オブジェクト制御部は、前記プレイヤーの手の動きに合わせて前記第２オブジェクトの手の動きを制御する
ことを特徴とする請求項１に記載の表示制御プログラム。
【請求項３】
前記画像生成部は、前記プレイヤーの頭部に装着されるヘッドマウントディスプレイに表示される画像を生成し、
前記画像生成部は、前記ヘッドマウントディスプレイの向きに合わせて、前記仮想三次元空間の画像を生成するための視線方向を変化させる
ことを特徴とする請求項２に記載の表示制御プログラム。
【請求項４】
前記吸収制御部は、前記第２オブジェクトの周囲の第１の範囲内にある粒子オブジェクトを前記第２オブジェクトの方に移動させることを特徴とする請求項１から３のいずれかに記載の表示制御プログラム。
【請求項５】
前記吸収制御部は、前記第２オブジェクトの周囲の前記第１の範囲よりも狭い第２の範囲に粒子オブジェクトが入ったときに、前記粒子オブジェクトの表示態様を、前記第２オブジェクトと接触したことを表す表示態様に変化させることを特徴とする請求項４に記載の表示制御プログラム。
【請求項６】
前記吸収制御部は、前記第２オブジェクトの目の前方の第３の範囲の中に入らないように前記粒子オブジェクトを移動させることを特徴とする請求項４又は５に記載の表示制御プログラム。
【請求項７】
前記吸収制御部は、前記粒子オブジェクトが前記第２オブジェクトの表面に移動したときに、前記粒子オブジェクトの表示態様を、前記第２オブジェクトに吸収されたことを表す表示態様に変化させることを特徴とする請求項１から６のいずれかに記載の表示制御プログラム。
【請求項８】
前記第２オブジェクトは複数の粒子オブジェクトを含み、
前記第２オブジェクトに含まれる複数の粒子オブジェクトは、前記第１オブジェクトに含まれる複数の粒子オブジェクトとは異なる表示態様で表示される
ことを特徴とする請求項７に記載の表示制御プログラム。
【請求項９】
前記第２オブジェクトに含まれる複数の粒子オブジェクトは、前記第１オブジェクトに含まれる複数の粒子オブジェクトとは異なる粒径を有することを特徴とする請求項８に記載の表示制御プログラム。
【請求項１０】
前記第２オブジェクトに含まれる複数の粒子オブジェクトは、前記第１オブジェクトに含まれる複数の粒子オブジェクトとは異なる表示色で表示されることを特徴とする請求項８又は９に記載の表示制御プログラム。
【請求項１１】
前記吸収制御部は、前記第２オブジェクトに吸収された粒子オブジェクトを、前記第２オブジェクトに含まれる粒子オブジェクトとともに前記第２オブジェクトの内部に存在させる
ことを特徴とする請求項８から１０のいずれかに記載の表示制御プログラム。
【請求項１２】
前記吸収制御部は、前記第２オブジェクトに吸収された粒子オブジェクトを移動させることを特徴とする請求項１１に記載の表示制御プログラム。
【請求項１３】
前記吸収制御部は、前記第２オブジェクトに吸収された粒子オブジェクトを消去することを特徴とする請求項７から１０のいずれかに記載の表示制御プログラム。
【請求項１４】
前記画像生成部は、所定数の前記粒子オブジェクトを１つの粒子オブジェクトにまとめて表示することを特徴とする請求項１から１３のいずれかに記載の表示制御プログラム。
【請求項１５】
前記第１オブジェクトは、大きさの異なる複数の粒子オブジェクトから構成されることを特徴とする請求項１から１４のいずれかに記載の表示制御プログラム。
【請求項１６】
コンピュータに、前記仮想三次元空間における音声を生成する音声生成部を更に実現させ、
前記音声生成部は、前記第２オブジェクトの周囲の第４の範囲内にある粒子オブジェクトに音源を設定し、前記音源から発せられる音声を生成する
ことを特徴とする請求項１から１５のいずれかに記載の表示制御プログラム。
【請求項１７】
前記音声生成部は、所定数の前記粒子オブジェクトの音源を１つの音源にまとめて音声を生成することを特徴とする請求項１６に記載の表示制御プログラム。
【請求項１８】
前記画像生成部は、他のプレイヤーが操作する第２オブジェクトの情報をサーバから取得し、前記仮想三次元空間に他のプレイヤーが操作する第２オブジェクトを配置した画像を生成することを特徴とする請求項１から１７のいずれかに記載の表示制御プログラム。
【請求項１９】
仮想三次元空間の画像を生成する画像生成部と、
前記仮想三次元空間に配置された、複数の粒子オブジェクトを含む第１オブジェクトを制御する第１オブジェクト制御部と、
前記仮想三次元空間に配置された、プレイヤーが操作可能な第２オブジェクトを制御する第２オブジェクト制御部と、
前記第２オブジェクトと前記第１オブジェクトとが接触したか否かを判定する判定部と、
前記判定部により前記第２オブジェクトと前記第１オブジェクトとが接触したと判定された場合、前記第２オブジェクトと接触した前記第１オブジェクトに含まれる複数の粒子オブジェクトが前記第２オブジェクトに吸収される様子を表すアクションを実行させる吸収制御部と、
を備えることを特徴とする表示制御装置。
【請求項２０】
コンピュータに、
仮想三次元空間の画像を生成するステップと、
前記仮想三次元空間に配置された、複数の粒子オブジェクトを含む第１オブジェクトを制御するステップと、
前記仮想三次元空間に配置された、プレイヤーが操作可能な第２オブジェクトを制御するステップと、
前記第２オブジェクトと前記第１オブジェクトとが接触したか否かを判定するステップと、
前記第２オブジェクトと前記第１オブジェクトとが接触したと判定された場合、前記第２オブジェクトと接触した前記第１オブジェクトに含まれる複数の粒子オブジェクトが前記第２オブジェクトに吸収される様子を表すアクションを実行させるステップと、
をコンピュータに実行させることを特徴とする表示制御方法。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
レンズ装置であって、
前記レンズ装置の互いに異なる複数の位置での温度を検出する検出部と、
前記検出部による検出結果と、該検出結果を得た時刻とに基づいて、単位時間あたりの温度の変化量を得、該変化量に基づいて、前記レンズ装置内のレンズの温度を推定する処理部と、
を有することを特徴とするレンズ装置。
【請求項２】
前記検出部は、前記レンズ装置の外部または外周面の温度としての第１温度を検出する第１検出部と、前記レンズ装置の内部の温度としての第２温度を検出する第２検出部とを含み、
前記処理部は、単位時間あたりの前記第１温度の変化量としての第１温度変化率と、単位時間あたりの前記第２温度の変化量としての第２温度変化率とを得、前記第１温度変化率と前記第２温度変化率とに基づいて、前記レンズの温度を推定する、
ことを特徴とする請求項１に記載のレンズ装置。
【請求項３】
単位時間あたりの前記レンズの温度の変化量としてのレンズ温度変化率と前記第２温度変化率との差を、前記第１温度変化率で規格化して得られた補正係数を時間の関数として記憶する記憶部を有し、
前記処理部は、前記第１温度変化率と前記第２温度変化率と前記補正係数とに基づいて、前記レンズの温度を推定する、
ことを特徴とする請求項２に記載のレンズ装置。
【請求項４】
前記記憶部は、前記第１温度変化率の大きさごとに、前記補正係数を記憶し、
前記処理部は、前記第１温度変化率の大きさに対応する前記補正係数に基づいて、前記レンズの温度を推定する、
ことを特徴とする請求項３に記載のレンズ装置。
【請求項５】
前記第２検出部は、前記レンズ装置内の複数の箇所での温度をそれぞれ検出する複数の温度検出部を含み、
前記記憶部は、前記補正係数を、前記複数の箇所での温度に基づく補正係数として、記憶し、
前記処理部は、前記第１温度変化率と、前記複数の温度検出部それぞれに関する前記第２温度変化率と、前記複数の箇所での温度に基づく補正係数とに基づいて、前記レンズの温度を推定する、
ことを特徴とする請求項３に記載のレンズ装置。
【請求項６】
前記レンズ装置のピントのずれを補正するためのレンズ群を有し、
前記処理部は、前記レンズの温度の推定結果に基づいて、前記レンズ群の駆動量を得る、
ことを特徴とする請求項１ないし請求項６のうちいずれか１項に記載のレンズ装置。
【請求項７】
レンズ装置内のレンズの温度を推定する方法であって、
前記レンズ装置の互いに異なる複数の位置での温度を検出し、
前記温度の検出結果と、該検出結果を得た時刻とに基づいて、単位時間あたりの温度変化量を得、該変化量に基づいて、前記レンズ装置内のレンズの温度を推定する、
ことを特徴とする方法。
【請求項８】
前記温度の検出は、前記レンズ装置の外部または外周面の温度としての第１温度の検出と、前記レンズ装置の内部の温度としての第２温度の検出とを含み、
単位時間あたりの前記第１温度の変化量としての第１温度変化率と、単位時間あたりの前記第２温度の変化量としての第２温度変化率とを得、前記第１温度変化率と前記第２温度変化率とに基づいて、前記レンズの温度を推定する、
ことを特徴とする請求項７に記載の方法。
【請求項９】
単位時間あたりの前記レンズの温度の変化量としてのレンズ温度変化率と前記第２温度変化率との差を、前記第１温度変化率で規格化して得られた温度補正係数を時間の関数として記憶し、
前記第１温度変化率と前記第２温度変化率と前記温度補正係数とに基づいて、前記レンズの温度を推定する、
ことを特徴とする請求項８に記載の方法。
【請求項１０】
前記第１温度変化率の大きさごとに前記補正係数を記憶し、
前記第１温度変化率の大きさに対応する前記補正係数に基づいて、前記レンズの温度を推定する、
ことを特徴とする請求項９に記載の方法。
【請求項１１】
前記第２温度の検出は、前記レンズ装置内の複数の箇所での温度をそれぞれ検出する検出を含み、
前記補正係数は、前記複数の箇所での温度に基づく補正係数を含み、
前記第１温度変化率と、前記複数の箇所それぞれに関する前記第２温度変化率と、前記複数の箇所での温度に基づく補正係数とに基づいて、前記レンズの温度を推定する、
ことを特徴とする請求項９に記載の方法。
【請求項１２】
請求項７ないし請求項１１のうちいずれか１項に記載の方法をコンピュータに実行させることを特徴とするプログラム。
【手続補正２】
【補正対象書類名】図面
【補正対象項目名】図４
【補正方法】変更
【補正の内容】
【図４】
2020086229.tif 000001
【手続補正３】
【補正対象書類名】図面
【補正対象項目名】図６
【補正方法】変更
【補正の内容】
【図６】
2020086229.tif 000002
【手続補正４】
【補正対象書類名】図面
【補正対象項目名】図９
【補正方法】変更
【補正の内容】
【図９】
2020086229.tif 000003
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
対物レンズと結像レンズとを含む光学系と、  前記光学系の視野に載置された観察対象物に対してそれぞれ異なる方向から照明光を照射する照明部と、  前記光学系を介して前記観察対象物からの光を受光して前記観察対象物の輝度画像を生成する撮像部と、  前記光学系の光軸に沿って前記光学系の合焦位置を変化させる変化部と、  前記照明部、前記撮像部および前記変化部を制御する制御部と、  前記観察対象物の画像である観察画像を表示する表示部とを有し、  前記制御部は、      前記照明部を制御することで前記観察対象物に対して第一照明方向から前記照明光を前記観察対象物に対して照射し、前記変化部と前記撮像部を制御してそれぞれ異なる複数の合焦位置のそれぞれで前記観察対象物を撮像することで複数の第一輝度画像を取得し、      前記照明部を制御することで前記観察対象物に対して前記第一照明方向に対して前記光軸を挟んで対称となる第二照明方向から前記照明光を前記観察対象物に対して照射し、前記変化部と前記撮像部を制御してそれぞれ異なる複数の合焦位置のそれぞれで前記観察対象物を撮像することで複数の第二輝度画像を取得し、      前記複数の第一輝度画像と前記複数の第二輝度画像とについて深度合成および凹凸強調することで前記観察対象物の表面の凹凸が強調され、かつ、前記撮像部により取得可能な単一の輝度画像と比較して被写界深度の広い凹凸強調画像を生成する画像生成部を有し、  前記表示部は、前記観察画像として、前記凹凸強調画像を表示することを特徴とする拡大観察装置。
【請求項２】
前記画像生成部は、      前記複数の第一輝度画像を深度合成することで第一深度合成画像を生成するとともに、前記複数の第二輝度画像を深度合成することで第二深度合成画像を生成する深度合成部と、      前記第一深度合成画像と前記第二深度合成画像との輝度の差分に基づき前記凹凸強調画像を生成する強調画像生成部とを有することを特徴とする請求項１に記載の拡大観察装置。
【請求項３】
前記画像生成部は、      前記複数の第一輝度画像と前記複数の第二輝度画像とからそれぞれ合焦位置が同じである輝度画像のペアを輝度の差分に基づき合成して、前記複数の合焦位置のそれぞれについて凹凸の強調された複数のサブ凹凸強調画像を生成する強調画像生成部と、  前記複数のサブ凹凸強調画像を深度合成することで前記凹凸強調画像を生成する深度合成画像生成部とを有することを特徴とする請求項１または２に記載の拡大観察装置。
【請求項４】
前記深度合成部は、      前記複数の第一輝度画像においてそれぞれ画素位置が同じである複数の画素を解析し、前記複数の画素のうちで最も合焦度の高い画素を、当該画素位置における合焦画素として選択することで、複数の画素位置それぞれの合焦画素からなる前記第一深度合成画像を生成し、      前記複数の第二輝度画像においてそれぞれ画素位置が同じである複数の画素を解析し、前記複数の画素のうちで最も合焦度の高い画素を、当該画素位置における合焦画素として選択することで、複数の画素位置それぞれの合焦画素からなる前記第二深度合成画像を生成するように構成されていることを特徴とする請求項２に記載の拡大観察装置。
【請求項５】
前記観察対象物を載置され、少なくともＸ方向とＹ方向とに移動可能なＸＹステージと、  前記ＸＹステージを駆動する駆動部と、  前記ＸＹステージが移動した後に静止したことを検知する検知部と、をさらに有し、  前記画像生成部は、前記ＸＹステージが移動した後に静止したことを前記検知部が検知すると、前記凹凸強調画像の生成を再度実行することを特徴とする請求項１ないし４のいずれか一項に記載の拡大観察装置。
【請求項６】
前記表示部は、前記検知部により前記ＸＹステージが移動していることが検知されると、前記撮像部により取得される動画像を表示するように構成されており、  前記検知部により前記ＸＹステージが静止したことが検知されると、前記画像生成部は、前記凹凸強調画像の生成を再度実行し、  前記表示部は、前記凹凸強調画像を表示するように構成されていることを特徴とする請求項５に記載の拡大観察装置。
【請求項７】
前記撮像部により取得された前記観察対象物についてのカラー画像から色情報を取得して前記凹凸強調画像をカラー化するカラー合成部をさらに有することを特徴とする請求項１ないし６のいずれか一項に記載の拡大観察装置。
【請求項８】
前記画像生成部は、      前記第一輝度画像を生成する際にそれぞれ露光時間が異なる複数のサブ輝度画像を取得し、当該複数のサブ輝度画像をＨＤＲ処理することで前記第一輝度画像を生成し、      前記第二輝度画像を生成する際にそれぞれ露光時間が異なる複数のサブ輝度画像を取得し、当該複数のサブ輝度画像をＨＤＲ処理することで前記第二輝度画像を生成するように構成されていることを特徴とする請求項１ないし７のいずれか一項に記載の拡大観察装置。
【請求項９】
前記凹凸強調画像の各画素を積分することで各画素ごとに前記観察対象物の表面の高さを求め、当該高さを各画素とする高さ画像を生成する高さ画像生成部をさらに有することを特徴とする請求項１ないし８のいずれか一項に記載の拡大観察装置。
【請求項１０】
前記高さ画像生成部は、前記高さ画像の各画素を、各画素の高さに応じて着色することでカラー高さ画像を生成するように構成されていることを特徴とする請求項９に記載の拡大観察装置。
【請求項１１】
前記照明部の照明方向を選択する選択部をさらに有し、  前記画像生成部は、      前記照明部を制御することで前記観察対象物に対して前記第一照明方向および前記第二照明方向と異なる第三照明方向から前記照明光を前記観察対象物に対して照射し、前記変化部と前記撮像部を制御してそれぞれ異なる複数の合焦位置のそれぞれで前記観察対象物を撮像することで複数の第三輝度画像を取得し、      前記照明部を制御することで前記観察対象物に対して前記第三照明方向に対して前記光軸を挟んで対称となる第四照明方向から前記照明光を前記観察対象物に対して照射し、前記変化部と前記撮像部を制御してそれぞれ異なる複数の合焦位置のそれぞれで前記観察対象物を撮像することで複数の第四輝度画像を取得し、  前記画像生成部は、さらに、前記第一照明方向、前記第二照明方向、前記第三照明方向および前記第四照明方向のうち前記選択部により選択された照明方向に対応した凹凸強調画像を、前記複数の第一輝度画像、前記複数の第二輝度画像、前記複数の第三輝度画像および前記複数の第四輝度画像のうち前記選択部により選択された照明方向に対応した複数の輝度画像を用いて生成し、  前記表示部は、前記選択部により選択された照明方向に対応した凹凸強調画像を表示するように構成されていることを特徴とする請求項１ないし１０のいずれか一項に記載の拡大観察装置。
【手続補正書】
【提出日】令和3年2月5日(2021.2.5)
【手続補正１】
【補正対象書類名】明細書
【補正対象項目名】００１３
【補正方法】変更
【補正の内容】
【００１３】
また、本開示による優先度判定装置においては、優先度導出部は、中央値の設定を受け付けるものであってもよい。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
第１ＣＰＵと、第２ＣＰＵと、省電力制御を行う電力制御プログラムを格納する第のメモリと、改竄検知プログラムを格納する第２のメモリと、を備える情報処理装置であって、
前記第２ＣＰＵは、前記情報処理装置の起動に基づいて前記改ざん検知プログラムを実行し、
前記第１ＣＰＵは、前記第２ＣＰＵが実行するプログラムを、前記改ざん検知プログラムから前記電力制御プログラムに変更する変更プログラムを実行し、
前記第２ＣＰＵは、前記情報処理装置が省電力状態への移行条件を満たすことによって、前記電力制御プログラムによって前記第１ＣＰＵを省電力状態に移行させることを特徴とする情報処理装置。
【請求項２】
前記第１ＣＰＵは、前記第２のＣＰＵのリセットベクタを、前記第２のメモリのアドレス領域から前記第１のメモリのアドレス領域に切り替えることで前記制御を行うことを特徴とする請求項１に記載の情報処理装置。
【請求項３】
前記第２ＣＰＵは、前記変更プログラムの改ざん検知を行い、
前記第２ＣＰＵは、前記変更プログラムが改ざんされていない場合に、前記第１ＣＰＵを起動させ、前記変更プログラムが改ざんされた場合に、前記第１のＣＰＵを起動しないことを特徴とする請求項１または２に記載の情報処理装置。
【請求項４】
前記第１ＣＰＵは、前記変更プログラムに基づいて、前記第２ＣＰＵが実行するプログラムを前記改ざん検知プログラムから前記電力制御プログラムに切り替えるとともに、前記第２のＣＰＵを再度起動させることを特徴とする請求項１乃至３のいずれか１項に記載の情報処理装置。
【請求項５】
前記第２ＣＰＵは、前記第１のメモリに格納されている前記電力制御プログラムの改竄検知を行うことを特徴とする請求項１乃至４のいずれか１項に記載の情報処理装置。
【請求項６】
前記第１のメモリは、画像処理プログラムを記憶し、
前記第１ＣＰＵは、前記変更プログラムを実行することで、前記第２ＣＰＵに前記画像処理プログラムを実行可能にすることを特徴とする請求項１乃至５のいずれか１項に記載の情報処理装置。
【請求項７】
前記変更プログラムを記憶する第３のメモリを有することを特徴とする請求項１乃至６のいずれか１項に記載の情報処理装置。
【請求項８】
前記第１のメモリは、揮発性の記憶媒体であることを特徴とする請求項１乃至７のいずれか１項に記載の情報処理装置。
【請求項９】
前記第２のメモリは、不揮発性の記憶媒体であることを特徴とする請求項１乃至８のいずれか１項に記載の情報処理装置。
【請求項１０】
第１ＣＰＵと、第２ＣＰＵと、省電力制御を行う電力制御プログラムを格納する第１メモリと、改竄検知プログラムを格納する第２のメモリと、を備える情報処理装置の制御方法であって、
前記第２ＣＰＵは、前記情報処理装置の起動に基づいて前記改ざん検知プログラムを実行し、
前記第１ＣＰＵは、前記第２ＣＰＵが実行するプログラムを、前記改ざん検知プログラムから前記電力制御プログラムに変更する変更プログラムを実行し、
前記第２ＣＰＵは、前記情報処理装置が省電力状態への移行条件を満たすことによって、前記電力制御プログラムによって前記第１ＣＰＵを省電力状態に移行させることを特徴とする情報処理装置の制御方法。
【手続補正２】
【補正対象書類名】明細書
【補正対象項目名】０００９
【補正方法】変更
【補正の内容】
【０００９】
本発明は、第１ＣＰＵと、第２ＣＰＵと、省電力制御を行う電力制御プログラムを格納する第１メモリと、改竄検知プログラムを格納する第２のメモリと、を備える情報処理装置であって、前記第２ＣＰＵは、前記情報処理装置の起動に基づいて前記改ざん検知プログラムを実行し、前記第１ＣＰＵは、前記第２ＣＰＵが実行するプログラムを、前記改ざん検知プログラムから前記電力制御プログラムに変更する変更プログラムを実行し、前記第２ＣＰＵは、前記情報処理装置が省電力状態への移行条件を満たすことによって、前記電力制御プログラムによって前記第１ＣＰＵを省電力状態に移行させることを特徴とする。
【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
１以上のメモリと、１以上のプロセッサと、を備え、
前記１以上のプロセッサは、
第１のデータの第１の部分を変更するための変更指示を受け付け、
第１のニューラルネットワークに前記第１の部分の中間表現を入力することで第２のデータを生成し、
前記第１のデータの第１の部分を前記第２のデータに置き換えることにより第３のデータを生成し、
前記中間表現は、前記第１のデータの第１の部分に基づいて、第２のニューラルネットワークを用いて生成された、生成モデルに入力されるノイズ又は潜在変数の少なくとも１つである、
データ編集装置。
【請求項２】
前記１以上のプロセッサは、
前記変更指示に基づいて、複数のニューラルネットワークの中から前記第１のニューラルネットワークを選択する、請求項１に記載のデータ編集装置。
【請求項３】
前記１以上のプロセッサは、
前記第１のデータの第１の部分に含まれる物体に基づいて、前記複数のニューラルネットワークの中から前記第１のニューラルネットワークを選択する、請求項２に記載のデータ編集装置。
【請求項４】
前記１以上のプロセッサは、
前記変更指示に基づいて生成されたコンディショナル情報と、前記中間表現とを前記第１のニューラルネットワークに入力することで前記第２のデータを生成する、請求項１乃至３のいずれか一項に記載のデータ編集装置。
【請求項５】
前記コンディショナル情報は、少なくともデータの状態、条件、分類のいずれか１つに関する情報である、請求項４に記載のデータ編集装置。
【請求項６】
前記コンディショナル情報は、少なくとも２つの目標クラスの情報を含む、請求項４に記載のデータ編集装置。
【請求項７】
前記コンディショナル情報は、前記第１のデータの第１の部分のコンディショナル情報と異なる、請求項４乃至６のいずれか一項に記載のデータ編集装置。
【請求項８】
前記１以上のプロセッサは、
参照データの中間表現を用いて、前記第２のデータを生成する、請求項１乃至７のいずれか１項に記載のデータ編集装置。
【請求項９】
前記第１のデータは、画像、音声、文章、３Ｄオブジェクトの少なくとも１つである、請求項１に記載のデータ編集装置。
【請求項１０】
前記１以上のプロセッサは、
前記変更指示に基づいて前記中間表現を変更し、変更後の前記中間表現を用いて前記第２のデータを生成する、請求項１乃至９のいずれか一項に記載のデータ編集装置。
【請求項１１】
前記第１のニューラルネットワークは、前記第２のデータを段階的に生成し、
前記１以上のプロセッサは、
前記中間表現又はコンディショナル情報の少なくとも１つを、各段階又は段階に応じて変更し、変更後の前記中間表現又は前記コンディショナル情報を前記第１のニューラルネットワークに入力することで前記第２のデータを生成する、請求項１乃至１０のいずれか一項に記載のデータ編集装置。
【請求項１２】
１以上のプロセッサが、
第１のデータの第１の部分を変更するための変更指示を受け付け、
第１のニューラルネットワークに前記第１の部分の中間表現を入力することで第２のデータを生成し、
前記第１のデータの第１の部分を前記第２のデータに置き換えることにより第３のデータを生成し、
前記中間表現は、前記第１のデータの第１の部分に基づいて、第２のニューラルネットワークを用いて生成された、生成モデルに入力されるノイズ又は潜在変数の少なくとも１つである、
データ編集方法。
【請求項１３】
前記１以上のプロセッサが、
前記変更指示に基づいて、複数のニューラルネットワークの中から前記第１のニューラルネットワークを選択する、請求項１２に記載のデータ編集方法。
【請求項１４】
前記１以上のプロセッサが、
前記変更指示に基づいて生成されたコンディショナル情報と、前記中間表現とを前記第１のニューラルネットワークに入力することで前記第２のデータを生成する、請求項１２又は１３に記載のデータ編集方法。
【請求項１５】
１以上のプロセッサに、
第１のデータの第１の部分を変更するための変更指示を受け付ける処理と、
第１のニューラルネットワークに前記第１の部分の中間表現を入力することで第２のデータを生成する処理と、
前記第１のデータの第１の部分を前記第２のデータに置き換えることにより第３のデータを生成する処理と、を実行させ、
前記中間表現は、前記第１のデータの第１の部分に基づいて、第２のニューラルネットワークを用いて生成された、生成モデルに入力されるノイズ又は潜在変数の少なくとも１つである、
プログラム。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
プロセッサとメモリと台帳を格納する記憶部を有するサーバが、前記台帳を他のサーバと分散して管理するブロックチェーンシステムの分散データ管理方法であって、
前記サーバが、項目と項目の値を含む前記台帳に対する修正内容を受け付ける第１のステップと、
前記サーバが、前記項目と項目の値に応じて、前記修正内容の承認を行う承認先のサーバを予め設定した承認グループ管理情報を参照して、承認先のサーバを決定する第２のステップと、
を含むことを特徴とする分散データ管理方法。
【請求項２】
請求項１に記載の分散データ管理方法であって、
前記サーバが、前記修正内容と前記承認先のサーバを仮更新台帳へ書き込む第３のステップと、
前記サーバが、前記修正内容に対する承認条件を受け付けて仮更新台帳へ書き込む第４のステップと、
前記サーバが、前記修正内容を含む承認申請を前記承認先のサーバへ送信する第５のステップと、
をさらに含むことを特徴とする分散データ管理方法。
【請求項３】
請求項２に記載の分散データ管理方法であって、
前記サーバが、前記承認先のサーバから承認結果を受け付けて、前記承認結果が前記承認条件を満たしているか否かを判定する第６のステップと、
前記サーバが、前記承認条件を満たしている場合には、前記修正内容を前記台帳へ反映させる第７のステップと、
をさらに含むことを特徴とする分散データ管理方法。
【請求項４】
請求項１に記載の分散データ管理方法であって、
前記第１のステップは、
前記台帳のデータのうち、当該サーバが関連するデータを抽出して進捗情報表示画面を出力し、当該進捗情報表示画面に対する修正を修正内容として受け付けることを特徴とする分散データ管理方法。
【請求項５】
請求項３に記載の分散データ管理方法であって、
前記第７のステップは、
前記台帳が外部のデータと連携している場合には、前記修正内容を前記外部のデータに反映させることを特徴とする分散データ管理方法。
【請求項６】
プロセッサとメモリと台帳を格納する記憶部を有するサーバが、前記台帳を他のサーバと分散して管理するブロックチェーンシステムの分散データ管理装置であって、
前記プロセッサが、項目と項目の値を含む前記台帳に対する修正内容を受け付けて、
前記プロセッサが、前記項目と項目の値に応じて、前記修正内容の承認を行う承認先のサーバを予め設定した承認グループ管理情報を参照して、承認先のサーバを決定することを特徴とする分散データ管理装置。
【請求項７】
請求項６に記載の分散データ管理装置であって、
前記プロセッサが、前記修正内容と前記承認先のサーバを、仮更新台帳へ書き込んで、
前記プロセッサが、前記修正内容に対する承認条件を受け付けて前記仮更新台帳へ書き込み、
前記プロセッサが、前記修正内容を含む承認申請を前記承認先のサーバへ送信すること
を特徴とする分散データ管理装置。
【請求項８】
請求項７に記載の分散データ管理装置であって、
前記プロセッサが、前記承認先のサーバから承認結果を受け付けて、前記承認結果が前記承認条件を満たしているか否かを判定し、前記承認条件を満たしている場合には、前記修正内容を前記台帳へ反映させることを特徴とする分散データ管理装置。
【請求項９】
請求項８に記載の分散データ管理装置であって、
前記プロセッサが、前記台帳のデータのうち、当該サーバが関連するデータを抽出して進捗情報表示画面を出力し、当該進捗情報表示画面に対する修正を修正内容として受け付けることを特徴とする分散データ管理装置。
【請求項１０】
請求項８に記載の分散データ管理装置であって、
前記プロセッサは、前記台帳が外部のデータと連携している場合には、前記修正内容を前記外部のデータに反映させることを特徴とする分散データ管理装置。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
複数のＬＥＤチップを有するＬＥＤアレイと、
前記複数のＬＥＤチップを制御する制御部と、を有する光源装置であって、
前記複数のＬＥＤチップからの光強度分布は、所定面において向きが互いに異なる光強度分布にして重ね合わせ、
前記制御部は、前記複数のＬＥＤチップの少なくとも１つの出力を制御することにより、前記複数のＬＥＤチップが前記所定面に形成する光強度分布を変更することを特徴とする光源装置。
【請求項２】
前記ＬＥＤアレイは、基板上における配置角度を互いに異ならせた前記複数のＬＥＤチップを有し、
互いに配置角度の異なる複数のＬＥＤチップ間の出力を異ならせることを特徴とする請求項１に記載の光源装置。
【請求項３】
前記ＬＥＤアレイは、基板上において第１角度で配置された複数のＬＥＤチップにより構成された第１サブユニットと、基板上において前記第１角度とは異なる第２角度で配置された複数のＬＥＤチップにより構成された第２サブユニットと、を有し、
前記制御部は、前記第１サブユニットから出射される光の強度と、前記第２サブユニットから出射される光の強度とが異なるように、前記第１サブユニット及び前記第２サブユニットを制御することを特徴とする請求項１又は２に記載の光源装置。
【請求項４】
前記制御部は、前記第１サブユニットに含まれる複数のＬＥＤチップの出力を一括して制御し、且つ前記第２サブユニットに含まれる複数のＬＥＤチップの出力を一括して制御することを特徴とする請求項３に記載の光源装置。
【請求項５】
前記複数のＬＥＤチップからの光束を回転させることにより、前記所定面に向きが互いに異なる光強度分布を形成することを特徴とする請求項１乃至４の何れか１項に記載の光源装置。
【請求項６】
前記複数のＬＥＤチップは、四角形状のチップであることを特徴とする請求項１乃至５の何れか１項に記載の光源装置。
【請求項７】
複数のＬＥＤチップの各々に対応して各レンズが設けられたレンズアレイを有することを特徴とする請求項１乃至６の何れか１項に記載の光源装置。
【請求項８】
照明装置であって、
請求項１乃至７の何れか１項に記載の光源装置と、
コンデンサレンズと、
オプティカルインテグレータと、を有し、
前記光源装置の複数のＬＥＤチップのそれぞれからの光強度分布を、前記コンデンサレンズを介して前記オプティカルインテグレータの入射面において向きが互いに異なる光強度分布にして重ね合わせることを特徴とする照明装置。
【請求項９】
前記オプティカルインテグレータはレンズ群を有することを特徴とする請求項８に記載の照明装置。
【請求項１０】
照明装置であって、
請求項１乃至７の何れか１項に記載の光源装置と、
照明装置の瞳面における瞳強度分布を計測する計測器と、を有し、
前記計測器によって計測された瞳強度分布に基づいて、前記複数のＬＥＤチップの少なくとも１つの出力を制御することを特徴とする照明装置。
【請求項１１】
請求項８乃至１０の何れか１項に記載の照明装置を用いてパターンが形成されたマスクを照明し、前記パターンを基板に転写することを特徴とする露光装置。
【請求項１２】
パターンの結像特性に基づいて、前記複数のＬＥＤチップの少なくとも１つの出力を制御することを特徴とする請求項１１に記載の露光装置。
【請求項１３】
物品の製造方法であって、
請求項１１又は１２に記載の露光装置を用いて基板を露光する工程と、
露光された基板を現像する工程と、を有し、
現像された基板から物品を得ることを特徴とする物品の製造方法。
【手続補正２】
【補正対象書類名】明細書
【補正対象項目名】０００９
【補正方法】変更
【補正の内容】
【０００９】
上記課題を解決する本発明の一側面としての光源装置は、複数のＬＥＤチップを有するＬＥＤアレイと、前記複数のＬＥＤチップを制御する制御部と、を有する光源装置であって、前記複数のＬＥＤチップからの光強度分布は、所定面において向きが互いに異なる光強度分布にして重ね合わせ、前記制御部は、前記複数のＬＥＤチップの少なくとも１つの出力を制御することにより、前記複数のＬＥＤチップが前記所定面に形成する光強度分布を変更することを特徴とする。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
互いに貼り合わされた紙の一部である貼り合わせ部を有する封筒の第一面と、互いに貼り合わされた紙の一部である貼り合わせ部とフラップとを有さない、前記第一面と反対側の前記封筒の第二面とに対し画像を形成可能な画像形成装置において、
封筒にトナー像を形成可能な画像形成部と、
定着部材と、前記定着部材を加熱する加熱部と、前記定着部材に当接して前記封筒が挟持搬送される定着ニップを形成する加圧部材を有し、熱及び圧により前記封筒にトナー像を定着させる定着装置と、
前記定着部材と前記加圧部材間の圧力を調整可能な加圧調整機構と、
前記封筒の前記第二面に画像を形成する指示が入力された場合には、前記加圧調整機構の圧力を第一の圧力に調整し、前記封筒の前記第一面に画像を形成する指示が入力された場合には、前記加圧調整機構の圧力を前記第一の圧力よりも大きい第二の圧力に調整することにより、トナー像が前記封筒に定着するように前記加圧調整機構を制御する制御部と、を備える、
ことを特徴とする画像形成装置。
【請求項２】
封筒の坪量に関する情報を取得する取得部を備え、
前記制御部は、前記封筒の坪量が第一坪量の場合における前記第一の圧力と前記第二の圧力とを、前記第一坪量よりも大きい第二坪量の場合における前記第一の圧力と前記第二の圧力よりも大きくするように前記加圧調整機構を制御する、
ことを特徴とする請求項１に記載の画像形成装置。
【請求項３】
前記定着部材の表面温度を検出する温度検出部と、
封筒の坪量に関する情報を取得する取得部と、
前記温度検出部の検出結果に基づいて、前記封筒の表面温度が目標温度となるように前記加熱部の通電を制御する通電制御部と、を備え、
前記通電制御部は、前記封筒の坪量が第一坪量の場合に前記目標温度を第一温度に設定し、封筒の坪量が前記第一坪量よりも大きい第二坪量の場合に前記目標温度を前記第一温度よりも高い第二温度に設定する、
ことを特徴とする請求項１又は２に記載の画像形成装置。
【請求項４】
前記封筒の上面側にトナー像を形成する搬送路へ搬送されるように前記封筒を載置する第一載置部と、
前記封筒の下面側にトナー像を形成する搬送路へ搬送されるように前記封筒を載置する第二載置部と、
前記第一載置部と前記第二載置部とを選択可能な選択部と、
表示部と、
画像を形成する封筒の面を特定する情報を入力する入力装置と、を備え、
前記制御部は、前記入力装置により入力された情報に基づいて、前記第一載置部又は前記第二載置部に載置する封筒の載置方法を前記表示部に表示する、
ことを特徴とする請求項１乃至３のいずれか１項に記載の画像形成装置。
【請求項５】
前記第一載置部は、手差しトレイであり、
前記第二載置部は、カセットである、
ことを特徴とする請求項４に記載の画像形成装置。
【請求項６】
前記加熱部はコイルを有し、
前記定着部材は、磁束により生じる渦電流によって発熱する導電層を有する、
ことを特徴とする請求項１乃至５のいずれか１項に記載の画像形成装置。
【請求項７】
前記制御部は、封筒の第一面と第二面の両方に画像を自動的に形成する両面印刷モードを実行可能である、
ことを特徴とする請求項１乃至６のいずれか１項に記載の画像形成装置。
【手続補正２】
【補正対象書類名】明細書
【補正対象項目名】０００６
【補正方法】変更
【補正の内容】
【０００６】
本発明の一実施形態に係る画像形成装置は、互いに貼り合わされた紙の一部である貼り合わせ部を有する封筒の第一面と、互いに貼り合わされた紙の一部である貼り合わせ部とフラップとを有さない、前記第一面と反対側の前記封筒の第二面とに対し画像を形成可能な画像形成装置において、封筒にトナー像を形成可能な画像形成部と、定着部材と、前記定着部材を加熱する加熱部と、前記定着部材に当接して前記封筒が挟持搬送される定着ニップを形成する加圧部材を有し、熱及び圧により前記封筒にトナー像を定着させる定着装置と、前記定着部材と前記加圧部材間の圧力を調整可能な加圧調整機構と、前記封筒の前記第二面に画像を形成する指示が入力された場合には、前記加圧調整機構の圧力を第一の圧力に調整し、前記封筒の前記第一面に画像を形成する指示が入力された場合には、前記加圧調整機構の圧力を前記第一の圧力よりも大きい第二の圧力に調整することにより、トナー像が前記封筒に定着するように前記加圧調整機構を制御する制御部と、を備える、ことを特徴とする。
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
撮影により画像や情報を保持することができる写真フィルムやマイクロフィルム等の様々なフィルムに（ａ）ニックネーム等の積極的に伝えたい情報、不特定多数に知られても問題ない、あるいは軽微な問題しか生じない情報について、フィルムに文字情報として撮影し、それがネガフィルムあるいはポジフィルム上にて直接目視で確認できる文字の大きさで撮影されている第一の記録領域、（ｂ）個人情報や病歴、名前、住所等の特定の人にしか知られたくない情報、緊急時には必要な情報だが、平時には伏せておきたい情報、重要な情報、センシティブな情報について、フィルムに文字情報を撮影し、それがネガフィルムあるいはポジフィルム上にて直接目視にては確認できないほど文字が小さく撮影されているが、ルーペ等の拡大手段を用いることで文字を確認することができる第二の記録領域、（ｃ）フィルムに前記までの文字情報に関連した画像を撮影し、ネガフィルム、ポジフィルム上に撮影されている第三の記録領域のうち、一つ、二つ、あるいは全ての記録領域が撮影されていることにより、人や動物、物の情報認識用具、認識票、医療識別票、本人確認資料、迷子札、個体識別票、識別用タグ、タグ、識別票、荷札等の情報提供器具として使用することができることを特徴とする方法または、人や動物、物の情報認識用具、認識票、医療識別票、本人確認資料、迷子札、個体識別票、識別用タグ、タグ、識別票、荷札等の情報提供器具として使用することができることを特徴とする写真フィルムやマイクロフィルム等の様々なフィルム
【請求項２】
請求項１に記載のフィルムの両面から透明な板状の物体で挟み込み、フィルムを傷や熱、紫外線等のフィルムの寿命を短くするものから守り、かつ人、動物、物への携帯や装着が容易になるものであり、そのまま外部の光源によりスクリーンや壁などに撮影された情報を投影したり、カメラによる画像拡大、コピー機による拡大コピー、ルーペによる目視等で撮影された情報を読み取ることができることを特徴とする人や動物、物の情報認識用具、認識票、医療識別票、本人確認資料、迷子札、個体識別票、識別用タグ、タグ、識別票、荷札等の情報提供器具。
【請求項３】
請求項１、請求項２に記載のフィルムをケースに格納することにより、フィルムを傷や熱、紫外線等のフィルムの寿命を短くするものから守り、かつ人、動物、物への携帯や装着が容易になるものであり、そのまま外部の光源によりスクリーンや壁などに撮影された情報を投影したり、カメラによる画像拡大、コピー機による拡大コピー、ルーペによる目視等で撮影された情報を読み取ることができることを特徴とする人や動物、物の情報認識用具、認識票、医療識別票、本人確認資料、迷子札、個体識別票、識別用タグ、タグ、識別票、荷札等の情報提供器具。
【請求項４】
請求項１から請求項３に記載のフィルムを直接人や動物の服や肌着等の直接身につけるもの、または物に縫い合わせたり、貼りつけることによりフィルム記載の情報を携帯できることを特徴とする人や動物、物の情報認識用具、認識票、医療識別票、本人確認資料、迷子札、個体識別票、識別用タグ、タグ、識別票、荷札等の情報提供器具。
【請求項５】
請求項１から請求項３に記載のフィルムをペンダント、腕輪、首輪等の装飾具に装着することによりフィルム記載の情報を携帯できることを特徴とする人や動物、物の情報認識用具、認識票、医療識別票、本人確認資料、迷子札、個体識別票、識別用タグ、タグ、識別票、荷札等の情報提供器具。
【請求項６】
請求項１、請求項２に記載のフィルムを免許証やマイナンバーカードのようなカードとして使用できることを特徴とする人や動物、物の情報認識用具、認識票、医療識別票、本人確認資料、迷子札、個体識別票、識別用タグ、タグ、識別票、荷札等の情報提供器具。
【請求項７】
請求項１から請求項６に記載の情報認識用具、情報提供器具において、器具にLEDライト等の光源が一体として装着されており、その光源によりフィルムの内容を手軽にスクリーンや壁等に投影し、撮影された情報を確認することができることを特徴とする人や動物、物の情報認識用具、認識票、医療識別票、本人確認資料、迷子札、個体識別票、識別用タグ、タグ、識別票、荷札等の情報提供器具。
【手続補正書】
【提出日】令和3年5月12日(2021.5.12)
【手続補正１】
【補正対象書類名】明細書
【補正対象項目名】０００８
【補正方法】変更
【補正の内容】
【０００８】
【図１】実施の形態１に係る半導体装置の一つの適用例である半導体スイッチング素子の駆動回路の回路図である。
【図２】実施の形態１に係る半導体装置の概略平面図である。
【図３】実施の形態１及び実施の形態２に係る半導体装置の、図２及び図１５に示される断面線ＩＩＩ−ＩＩＩにおける概略部分拡大断面図である。
【図４】実施の形態１及び実施の形態２に係る半導体装置の、図２及び図１５に示される断面線ＩＶ−ＩＶにおける概略部分拡大断面図である。
【図５】図５（Ａ）は、実施の形態１及び比較例の半導体装置に電気的に接続されているブートストラップコンデンサの電圧（ブートストラップ電圧）の波形を示す図である。図５（Ｂ）は、実施の形態１及び比較例の半導体装置のドレイン電圧Ｖdの波形を示す図である。
【図６】実施の形態１及び比較例の半導体装置のドレイン電圧Ｖdの波形の、図５（Ｂ）の領域ＶＩの概略部分拡大図である。
【図７】比較例の半導体装置（Ｖg＜Ｖd＜Ｖso）の動作を示す図である。
【図８】比較例の半導体装置（Ｖg＜Ｖso＜Ｖd＜Ｖd1）の動作を示す図である。
【図９】比較例の半導体装置（Ｖg＜Ｖso＜Ｖd1≦Ｖd）の動作を示す図である。
【図１０】実施の形態１の半導体装置（Ｖg＜Ｖd＜Ｖso、Ｖd≦ＶBSCU、かつ、Ｖp＜Ｖd）の動作を示す図である。
【図１１】実施の形態１の半導体装置（Ｖg＜ＶBSCU＜Ｖd＜Ｖso、かつ、Ｖp＝Ｖd）の動作を示す図である。
【図１２】実施の形態１の半導体装置（Ｖg＜Ｖso＜Ｖd＜Ｖd1、かつ、Ｖp＝Ｖso）の動作を示す図である。
【図１３】実施の形態１の半導体装置（Ｖg＜Ｖso＜Ｖd1≦Ｖd、かつ、Ｖp＝Ｖso）の動作を示す図である。
【図１４】実施の形態１及び比較例の半導体装置を流れる電流ＩとＶdとの間の関係を示す図である。
【図１５】実施の形態２に係る半導体装置の概略平面図である。
【図１６】実施の形態２に係る半導体装置に含まれる第１接合型電界効果トランジスタの概略部分拡大平面図である。
【図１７】実施の形態２に係る半導体装置に含まれる第２接合型電界効果トランジスタの概略部分拡大平面図である。
【図１８】実施の形態２に係る半導体装置（Ｖg＜Ｖso＜Ｖd1≦Ｖd、かつ、Ｖp＝Ｖso）の、図１５に示される断面線ＸＶＩＩＩ−ＸＶＩＩＩにおける概略部分拡大断面図である。
【手続補正２】
【補正対象書類名】明細書
【補正対象項目名】００４７
【補正方法】変更
【補正の内容】
【００４７】
図５に示されるように、ブートストラップコンデンサ１５の充電が完了して、ローサイドスイッチング素子１７がオン状態からオフ状態に切り換わり、かつ、ハイサイドスイッチング素子１６がオフ状態からオン状態に切り換わるとき、ブートストラップコンデンサ１５の基準電圧がハイサイドフローティング電源オフセット電圧ＶSに急速に上昇する。そのため、ブートストラップコンデンサ１５に電気的に接続されている接合型電界効果トランジスタ（第１接合型電界効果トランジスタ５及び第２接合型電界効果トランジスタ６）のドレイン電極Ｄ（第１ドレイン電極３３ａ及び第２ドレイン電極３３ｂ）のドレイン電圧Ｖdも急速に上昇する。
【手続補正３】
【補正対象書類名】明細書
【補正対象項目名】００５３
【補正方法】変更
【補正の内容】
【００５３】
図５に示されるように、ブートストラップコンデンサ１５の充電が完了して、ローサイドスイッチング素子１７がオン状態からオフ状態に切り換わり、ハイサイドスイッチング素子１６がオフ状態からオン状態に切り換わるとき、ブートストラップコンデンサ１５の基準電圧がハイサイドフローティング電源オフセット電圧ＶSに急速に上昇する。そのため、ブートストラップコンデンサ１５に電気的に接続されている接合型電界効果トランジスタ（第１接合型電界効果トランジスタ５及び第２接合型電界効果トランジスタ６）のドレイン電極Ｄ（第１ドレイン電極３３ａ及び第２ドレイン電極３３ｂ）のドレイン電圧Ｖdも急速に上昇する。
【手続補正４】
【補正対象書類名】明細書
【補正対象項目名】００５８
【補正方法】変更
【補正の内容】
【００５８】
第１導電型の第１ソース領域２７ａと第２導電型の半導体領域３６との間に形成されるｐｎ接合に逆バイアス電圧が印加されている。そのため、このｐｎ接合は、第１ソース領域２７ａと第１ドレイン領域２８ａとの間に電流Ｉが流れることを阻止する。ブートストラップ電圧ＶBSCがさらに上昇しなくなる。しかし、ドレイン電圧Ｖdはブートストラップ下限電圧ＶBSCU超である。そのため、ブートストラップ下限電圧ＶBSCU超であるブートストラップ電圧ＶBSCを利用して、ハイサイドスイッチング素子１６（図１を参照）における正常なゲート動作を実現できる。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
青空を模擬する拡散光と、太陽光を模擬する光とを照射する照明器具であって、
散乱により前記光よりも相関色温度の高い拡散光を発生させる拡散部を備えるとともに、
前記拡散部の伝搬光を反射する反射面、および、光を透過して散乱させる光散乱部の少なくとも一方を備え、
前記拡散部によって発生された前記拡散光により、青空を模擬し、
前記反射面によって反射された前記伝搬光、および、前記光散乱部によって拡散透過された光の少なくとも一方により、太陽光を模擬する
ことを特徴とする照明器具。
【請求項２】
前記拡散部に光を入射する入射面を含み、
前記入射面は、前記拡散部の端部または前記拡散部を含む拡散体の端部に形成される
請求項１に記載の照明器具。
【請求項３】
前記入射面は、前記拡散部の２つの端部または前記拡散体の２つの端部にそれぞれ形成される
請求項２に記載の照明器具。
【請求項４】
前記入射面は、前記拡散部と別部品で形成されている
請求項２または３に記載の照明器具。
【請求項５】
前記拡散光を出射する出射面を含み、
前記出射面は、前記拡散部または前記拡散部を含む拡散体の板形状の１つの面の上に形成される
請求項１から４のうちのいずれか１項に記載の照明器具。
【請求項６】
前記反射面は、前記拡散部と別部品で形成されている
請求項１から５のうちのいずれか１項に記載の照明器具。
【請求項７】
前記伝搬光を導光する導光部を備える
請求項１から６のうちのいずれか１項に記載の照明器具。
【請求項８】
前記導光部は、前記拡散部または前記拡散部を含む拡散体の端部に形成されている
請求項７に記載の照明器具。
【請求項９】
前記導光部は、前記拡散部と前記反射面との間に位置している
請求項７または８に記載の照明器具。
【請求項１０】
前記導光部は、前記拡散部と別部品で形成されている
請求項７から９のうちのいずれか１項に記載の照明器具。
【請求項１１】
前記光散乱部は、前記反射面で反射された光を透過して散乱させる
請求項１から１０のうちのいずれか１項に記載の照明器具。
【請求項１２】
前記光散乱部は、前記拡散部を含む拡散体と一体で形成されている
請求項１から１１のうちのいずれか１項に記載の照明器具。
【請求項１３】
前記光散乱部は、前記拡散部を含む拡散体と別部品で形成されている
請求項１から１１のうちのいずれか１項に記載の照明器具。
【請求項１４】
前記光散乱部に向けて光を出射する光源を備える
請求項１から１３のうちのいずれか１項に記載の照明器具。
【請求項１５】
前記光散乱部は、凹凸形状の光拡散面、レンチキュラーレンズおよび光散乱粒子のうちの１つ以上を含む
請求項１から１４のうちのいずれか１項に記載の照明器具。
【手続補正２】
【補正対象書類名】明細書
【補正対象項目名】０００５
【補正方法】変更
【補正の内容】
【０００５】
本開示に係る照明器具は、青空を模擬する拡散光と、太陽光を模擬する光とを照射する器具であって、散乱により前記光よりも相関色温度の高い拡散光を発生させる拡散部を備えるとともに、前記拡散部の伝搬光を反射する反射面、および、光を透過して散乱させる光散乱部の少なくとも一方を備え、前記拡散部によって発生された前記拡散光により、青空を模擬し、前記反射面によって反射された前記伝搬光、および、前記光散乱部によって拡散透過された光の少なくとも一方により、太陽光を模擬することを特徴とする。
【手続補正書】
【提出日】令和3年10月28日(2021.10.28)
【手続補正１】
【補正対象書類名】明細書
【補正対象項目名】００４５
【補正方法】変更
【補正の内容】
【００４５】
図１１（ｂ）においては、駆動ギア５と駆動ギア用着磁ヨーク８０との間の間隔、従動ギア４と従動ギア用着磁ヨーク８１との間の間隔が明確ではないが、駆動ギア５と駆動ギア用着磁ヨーク８０とが互いに非常に接近し、従動ギア４と従動ギア用着磁ヨーク８１とが互いに非常に接近している。こうした状態で、駆動ギア５と駆動ギア用着磁ヨーク８０との間に間隔が空いた、従動ギア４と従動ギア用着磁ヨーク８１との間にかつ間隔が空いた状態となるように駆動ギア用着磁ヨーク８０及び従動ギア用着磁ヨーク８１が配置される。着磁ヨークと永久磁石が接触してしまうと、着磁はできないので、間隔を空けるが、あまり間隔が大きいと着磁の効果が小さくなるので、極めて小さい間隔となるように両者が対向配置され、着磁を行う。